【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
遊技に使用可能な遊技用価値の大きさを特定可能な情報が記録された遊技用記録媒体の記録情報を少なくとも読み取る記録媒体処理手段と、
複数金種の貨幣を受付可能であって、該受付貨幣の識別を行うとともに受付貨幣金種を特定可能な情報を出力する貨幣識別手段と、
該貨幣識別手段から出力された情報から特定される貨幣金種に相当する貨幣金額の範囲内の所定額に相当する遊技用価値の大きさを前記遊技用記録媒体の記録情報から特定可能にするための発行処理及び／または価値加算処理を行う遊技用価値提供手段と、
を備える遊技用装置と、
前記遊技用装置と通信可能であって、該遊技用装置に関する情報を管理する管理装置と、からなり、
前記管理装置は、貨幣識別手段における受付可能な複数金種のうち、前記発行処理及び／または価値加算処理への供用が可能となる貨幣金種を設定するための受付金種設定手段を備え、該受付金種設定手段にて設定された供用が可能な貨幣金種を特定可能な金種設定情報を前記遊技用装置に送信し、
前記遊技用装置は、
該送信された金種設定情報に基づいて前記発行処理及び／または価値加算処理への供用が可能となる貨幣金種を登録するとともに、当該遊技用装置に設定されている前記発行処理及び／または価値加算処理への供用が可能となる貨幣金種を記憶し、
前記管理装置と通信可能な状態において、前記貨幣識別手段から出力された情報から特定される受付貨幣金種が、前記金種設定情報に基づいて登録された貨幣金種に該当するか否かを判定し、該判定結果が前記金種設定情報に基づいて登録された貨幣金種に該当する場合において前記遊技用価値提供手段による発行処理及び／または価値加算処理を行い、該判定結果が前記金種設定情報に基づいて登録された貨幣金種に該当しない場合において前記遊技用価値提供手段による発行処理及び／または価値加算処理を行わずに受付貨幣の返却処理を行い、
前記管理装置と通信不能な状態において、前記貨幣識別手段から出力された情報から特定される受付貨幣金種が、該遊技用装置に設定されている貨幣金種に該当するか否かを判定し、該判定結果が前記遊技用装置に設定されている貨幣金種に該当する場合において前記遊技用価値提供手段による発行処理及び／または価値加算処理を行い、該判定結果が前記遊技用装置に設定されている貨幣金種に該当しない場合において前記遊技用価値提供手段による発行処理及び／または価値加算処理を行わずに受付貨幣の返却処理を行うことを特徴とする遊技用システム。
【請求項２】
前記遊技用装置は、遊技機に対応して設けられ、前記遊技用記録媒体の記録情報から特定される遊技用価値の大きさを遊技に使用させるための使用処理を行う遊技使用処理手段を備える請求項１に記載の遊技用システム。
【請求項３】
遊技機に対応して設けられ、
複数金種の貨幣を受付可能であって、該受付け貨幣の識別を行うとともに受付貨幣金種を特定可能な情報を出力する貨幣識別手段と、
該貨幣識別手段から出力された情報から特定される受付貨幣金種に相当する貨幣金額の範囲内の所定額を遊技に使用させるための貨幣使用処理を行う貨幣使用処理手段と、
を備える遊技用装置と、
前記遊技用装置と通信可能であって、該遊技用装置に関する情報を管理する管理装置と、からなり、
前記管理装置は、貨幣識別手段における受付可能な複数金種のうち、前記貨幣使用処理への供用が可能となる貨幣金種を設定するための受付金種設定手段を備え、該受付金種設定手段にて設定された供用が可能な貨幣金種を特定可能な金種設定情報を前記遊技用装置に送信し、
前記遊技用装置は、
該送信された金種設定情報に基づいて前記貨幣使用処理への供用が可能となる貨幣金種を登録するとともに、当該遊技用装置に設定されている前記貨幣使用処理への供用が可能となる貨幣金種を記憶し、
前記管理装置と通信可能な状態において、前記貨幣識別手段から出力された情報から特定される受付貨幣金種が、前記金種設定情報に基づいて登録された貨幣金種に該当するか否かを判定し、該判定結果が前記金種設定情報に基づいて登録された貨幣金種に該当する場合において前記貨幣使用処理手段による貨幣使用処理を行い、該判定結果が前記金種設定情報に基づいて登録された貨幣金種に該当しない場合において前記貨幣使用処理手段による貨幣使用処理を行わずに受付貨幣の返却処理を行い、
前記管理装置と通信不能な状態において、前記貨幣識別手段から出力された情報から特定される受付貨幣金種が、該遊技用装置に設定されている貨幣金種に該当するか否かを判定し、該判定結果が前記遊技用装置に設定されている貨幣金種に該当する場合において前記貨幣使用処理手段による貨幣使用処理を行い、該判定結果が前記遊技用装置に設定されている貨幣金種に該当しない場合において前記貨幣使用処理手段による貨幣使用処理を行わずに受付貨幣の返却処理を行うことを特徴とする遊技用システム。
【請求項４】
前記遊技用装置は、前記供用可能或いは供用不能な貨幣金種を報知するための報知手段を備える請求項１〜３のいずれかに記載の遊技用システム。
【請求項５】
前記遊技用装置には該遊技用装置を識別可能な識別情報が付与され、該遊技用装置は、前記貨幣識別手段にて受付けられて前記発行処理及び／または価値加算処理、或いは貨幣使用処理に供された貨幣金種を特定可能な受付金種情報を、前記識別情報とともに前記管理装置に送信し、前記管理装置は、該送信された情報に基づいて遊技用装置毎に前記供用可能とされた各金種毎の数量を集計、出力する請求項１〜４のいずれかに記載の遊技用システム。
【請求項６】
前記遊技用装置は、前記貨幣識別手段の出力情報から特定される貨幣金種が前記供用可能とする貨幣金種に該当しないと判定した回数を特定可能な情報を前記管理装置に送信し、該管理装置は送信された情報に基づいて、前記供用可能とする貨幣金種に該当しないと判定された判定回数を出力する請求項１〜５のいずれかに記載の遊技用システム。
【手続補正２】
【補正対象書類名】明細書
【補正対象項目名】００１０
【補正方法】変更
【補正の内容】
【００１０】
本発明の遊技用システムは、遊技機に対応して設けられ、
複数金種の貨幣を受付可能であって、該受付け貨幣の識別を行うとともに受付貨幣金種を特定可能な情報を出力する貨幣識別手段と、
該貨幣識別手段から出力された情報から特定される受付貨幣金種に相当する貨幣金額の範囲内の所定額を遊技に使用させるための貨幣使用処理を行う貨幣使用処理手段と、
を備える遊技用装置と、
前記遊技用装置と通信可能であって、該遊技用装置に関する情報を管理する管理装置と、
からなり、
前記管理装置は、貨幣識別手段における受付可能な複数金種のうち、前記貨幣使用処理への供用が可能となる貨幣金種を設定するための受付金種設定手段を備え、該受付金種設定手段にて設定された供用が可能な貨幣金種を特定可能な金種設定情報を前記遊技用装置に送信し、
前記遊技用装置は、
該送信された金種設定情報に基づいて前記貨幣使用処理への供用が可能となる貨幣金種を登録するとともに、当該遊技用装置に設定されている前記貨幣使用処理への供用が可能となる貨幣金種を記憶し、
前記管理装置と通信可能な状態において、前記貨幣識別手段から出力された情報から特定される受付貨幣金種が、前記金種設定情報に基づいて登録された貨幣金種に該当するか否かを判定し、該判定結果が前記金種設定情報に基づいて登録された貨幣金種に該当する場合において前記貨幣使用処理手段による貨幣使用処理を行い、該判定結果が前記金種設定情報に基づいて登録された貨幣金種に該当しない場合において前記貨幣使用処理手段による貨幣使用処理を行わずに受付貨幣の返却処理を行い、
前記管理装置と通信不能な状態において、前記貨幣識別手段から出力された情報から特定される受付貨幣金種が、該遊技用装置に設定されている貨幣金種に該当するか否かを判定し、該判定結果が前記遊技用装置に設定されている貨幣金種に該当する場合において前記貨幣使用処理手段による貨幣使用処理を行い、該判定結果が前記遊技用装置に設定されている貨幣金種に該当しない場合において前記貨幣使用処理手段による貨幣使用処理を行わずに受付貨幣の返却処理を行うことを特徴としている。
この特徴によれば、前記受付金種設定手段にて前記貨幣使用処理への供用が可能となる貨幣金種を設定することにより、該設定されている貨幣金種を受付けた場合には前記貨幣使用処理が行われ、該設定されている貨幣金種以外の貨幣金種を受付けた場合には前記貨幣使用処理が行われないようになるため、偽造貨幣等が出回った場合等において、これら不正が行われる可能性が高い特定の金種の使用を不可にできるので、これら不正による被害を未然に防止することができるとともに、前記遊技用装置にて供用を可能とする貨幣金種を前記管理装置にて一元的に設定することができるようになり、これら設定処理に要する労力を大幅に軽減できるばかりか、これら設定内容を迅速に変更できる。